(57)【要約】【課題】  洗面台の排水口内部や毛髪捕獲部に発生するヌメリを効率よく防除することができる新規な洗面台用ヌメリ取り器を提供すること。【解決手段】  排水口を封水する封水部材と、該封水部材の下方に垂設された垂設ロッドと、該垂設ロッドに取り付けられたヘアキャッチャーとを備えた、洗面台本体と装脱着可能な洗面台排水口封水具の前記封水部材とヘアキャッチャーとの間に装着して用いられ、微生物の発育抑制物質を含有する固形薬剤１２が収納された薬剤収容部１４を備えた洗面台用ヌメリ取り具１０である。【選択図】図１
2005061098.tif 000002
【特許請求の範囲】
【請求項１】
排水口を封水する封水部材と、該封水部材の下方に垂設された垂設ロッドと、該垂設ロッドに取り付けられたヘアキャッチャーとを備えた、洗面台本体と装脱着可能な洗面台排水口封水具の前記封水部材とヘアキャッチャーとの間に装着して用いられ、微生物の発育抑制物質を含有する固形薬剤が収納された薬剤収容部を備えたことを特徴とする洗面台用ヌメリ取り具。
【請求項２】
洗面台排水口封水具の垂設ロッドに係止するための第１係止部を備えたことを特徴とする請求項１に記載の洗面台用ヌメリ取り具。
【請求項３】
洗面台排水口封水具のヘアキャッチャーに係止するための第２係止部を備えたことを特徴とする請求項１又は２に記載の洗面台用ヌメリ取り具。
【請求項４】
第２係止部が、ヘアキャッチャー上に立設する脚部材又はヘアキャッチャーに掛止する掛止片付脚部材より構成されたことを特徴とする請求項３に記載の洗面台用ヌメリ取り具。
【請求項５】
薬剤収容部が、洗面台排水口封水具の垂設ロッドを包囲するリング形状であることを特徴とする請求項１〜４のいずれかに記載の洗面台用ヌメリ取り具。
【請求項６】
薬剤収容部が、垂設ロッドに並列に配置される円柱又は角柱形状であることを特徴とする請求項１〜４のいずれかに記載の洗面台用ヌメリ取り具。
【請求項７】
薬剤収容部が、垂設ロッドに巻着可能なシート形状であることを特徴とする請求項１〜４のいずれかに記載の洗面台用ヌメリ取り具。
【請求項８】
固形薬剤が不織布に収容されている薬剤であることを特徴とする請求項１〜７のいずれかに記載の洗面台用ヌメリ取り具。
【発明の詳細な説明】
【技術分野】
【０００１】
本発明は、洗面台用ヌメリ取り具に関し、詳しくは、微生物の発育抑制物質を含有する固形薬剤により、洗面台の排水口内部等に発生するヌメリを簡便に防除することができる洗面台用ヌメリ取り具に関する。
【背景技術】
【０００２】
従来より、家庭用流し台の排水口のゴミ取りカゴのヌメリ防止方法としては、さらし粉系酸化剤を単独又は他の成分と配合したものを加圧成形した錠剤を、プラスチック製のネット又はカゴ状収納容器に収納し、ヒモ等によりゴミ取りカゴ内に吊し、ゴミ取りカゴのヌメリを防止する方法がよく知られていたが（特許文献１参照）、強力な酸化力によりゴミ取りカゴ及び周辺の排水口材質を劣化・腐食させる他、塩素ガスや三塩化窒素等の刺激臭のガスを発生する等の安全性に問題を有していた。このため、強い抗菌力を有し、かつ材質腐食やガスの発生はともなわない薬剤として、５−クロロ−２−メチル−４−イソチアゾリン−３−オンが開発されたが、水に易溶であり短期間で消費され短寿命であり、また、皮膚刺激性が激しいため、家庭において使用するには安全上問題があった。本発明者らは、５−クロロ−２−メチル−４−イソチアゾリン−３−オンと多分子系ホスト化合物とからなる包接化合物を加圧成形してなる非さらし粉系ヌメリ防除剤を提案している（特許文献２参照）。この防除剤は、５−クロロ−２−メチル−４−イソチアゾリン−３−オンをホスト化合物により多分子包接体としているため皮膚刺激性が低下し、かつ水に対する溶解性も低下しており、ヌメリ防除剤として優れたものである。また、本発明者らは、有機ヨード系抗菌剤と固体酸とを加圧成形してなるヌメリ防除剤についても提案しており（特許文献３参照）、このヌメリ防除剤も優れたヌメリ防除効果が確認されている。
【特許文献１】特開平８−１２８０９０号公報
【特許文献２】特開平１０−２４５３０８号公報
【特許文献３】特開平１０−２４５３０６号公報
【発明の開示】
【発明が解決しようとする課題】
【０００３】
近年、手軽にシャンプー等ができるように、シャワー付きの洗面台が流通している。このシャワー付洗面台においては、大量の毛髪が排出されるため、排水口には、ヘアキャッチャーを備え、洗面台本体と装脱着可能な洗面台排水口封水具が用いられている。この洗面台排水口封水具は、排水口内部に流入された毛髪を捕獲することができると共に、洗面台本体から取り外して毛髪を取り除くことができるため継続的に使用することが可能となっている。しかしながら、このようなヘアキャッチャーを備え、洗面台本体と装脱着可能な洗面台排水口封水具を備えた洗面台に適合するヌメリ取り具は未だ開発されていないため、かかる洗面台においてはヌメリの防除が図られておらず、特にヘアキャッチャーに捕獲された毛髪やそれに付着した石鹸等に起因してヘアキャッチャーや排水口内部（排出管内壁）にヌメリが発生しやすいことが大きな問題となっている。
【０００４】
本発明はかかる問題点に鑑みてなされたものであり、本発明の課題は、洗面台の排水口内部やヘアキャッチャーに発生するヌメリを効率よく防除することができる新規な洗面台用ヌメリ取り具を提供することにある。
【課題を解決するための手段】
【０００５】
本発明者らは、まず、上記のようなヘアキャッチャーを備えた洗面台排水口封水具を備えた洗面台においては、捕獲された毛髪に起因して通常の洗面台に比してヌメリが発生しやすいことを見い出し、これに基づき鋭意研究した結果、新規なヌメリ取り具を開発し本発明を完成するに至った。
【０００６】
すなわち、本発明は、排水口を封水する封水部材と、該封水部材の下方に垂設された垂設ロッドと、該垂設ロッドに取り付けられたヘアキャッチャーとを備えた、洗面台本体と装脱着可能な洗面台排水口封水具の前記封水部材とヘアキャッチャーとの間に装着して用いられ、微生物の発育抑制物質を含有する固形薬剤が収納された薬剤収容部を備えたことを特徴とする洗面台用ヌメリ取り具（請求項１）や、洗面台排水口封水具の垂設ロッドに係止するための第１係止部を備えたことを特徴とする請求項１に記載の洗面台用ヌメリ取り具（請求項２）や、洗面台排水口封水具のヘアキャッチャーに係止するための第２係止部を備えたことを特徴とする請求項１又は２に記載の洗面台用ヌメリ取り具（請求項３）や、第２係止部が、ヘアキャッチャー上に立設する脚部材又はヘアキャッチャーに掛止する掛止片付脚部材より構成されたことを特徴とする請求項３に記載の洗面台用ヌメリ取り具（請求項４）や、薬剤収容部が、洗面台排水口封水具の垂設ロッドを包囲するリング形状であることを特徴とする請求項１〜４のいずれかに記載の洗面台用ヌメリ取り具（請求項５）や、薬剤収容部が、垂設ロッドに並列に配置される円柱又は角柱形状であることを特徴とする請求項１〜４のいずれかに記載の洗面台用ヌメリ取り具（請求項６）や、薬剤収容部が、垂設ロッドに巻着可能なシート形状であることを特徴とする請求項１〜４のいずれかに記載の洗面台用ヌメリ取り具（請求項７）や、固形薬剤が不織布に収容されている薬剤であることを特徴とする請求項１〜７のいずれかに記載の洗面台用ヌメリ取り具（請求項８）に関する。
【発明の効果】
【０００７】
本発明の洗面台用ヌメリ取り具によれば、洗面台の排水口内部やヘアキャッチャーに発生するヌメリを効率よく防除することができる。
【発明を実施するための最良の形態】
【０００８】
本発明の洗面台用ヌメリ取り具としては、排水口を封水する封水部材と、該封水部材の下方に垂設された垂設ロッドと、該垂設ロッドに取り付けられたヘアキャッチャーとを備えた、洗面台本体と装脱着可能な洗面台排水口封水具の前記封水部材とヘアキャッチャーとの間に装着して用いられ、微生物の発育抑制物質を含有する固形薬剤が収納された薬剤収容部を備えていれば特に制限されるものではなく、本発明の洗面台用ヌメリ取り具によれば、洗面台の排水口内部やヘアキャッチャーに発生するヌメリを効率よく防除することができる。
【０００９】
本発明のヌメリ取り具を装着する洗面台排水口封水具としては、洗面台の排水口を封水する封水部材と、該封水部材の下方に垂設された垂設ロッドと、該垂設ロッドに取り付けられたヘアキャッチャーとを備えていれば特に制限されるものではなく、前記封水部材としては、洗面台の排水口を封水することができる例えば平面視して円形のステンレス等からなる円盤部材が挙げられ、通常、下面にゴム等からなるシール部材を備える。前記垂設ロッドとしては、封水部材から下方に延びるステンレス等からなる断面円形又は角形の棒状部材が挙げられ、通常、下端部において洗面台本体と装脱着可能となっており、洗面台の蛇口付近に設けられたレバー等にと連動して排水口の開閉を可能としている。前記ヘアキャッチャーとしては、通常、プラスチック等からなる網状部材であって、毛髪を捕獲して毛髪が排水口奥部へ導入されることを防止すると共に、排水の通過を妨げないようになっている。
【００１０】
本発明の洗面台用ヌメリ取り具における薬剤収容部としては、薬剤を収納できるものであれば特に制限されるものではなく、いかなる形状であってもよいが、洗面台排水口封水具の垂設ロッドを包囲するリング形状であることが好ましい。リング形状であることにより、垂設ロッドを包囲するように固形薬剤が配置されるので、排出管内壁やヘアキャッチャーに固形薬剤の成分が均一に十分に伝わり、より効果的にヌメリを防除することができる。このリング形状の薬剤収容部は１段であってもよいが、複数段にして固形薬剤の量を調整することができる。また、薬剤収容部は、垂設ロッドに並列に配置される円柱又は角柱形状であってもよく、これによっても効果的にヌメリを防除することができる。また、垂設ロッドに巻着可能なシート形状であってもよく、これによっても効果的にヌメリを防除することができる。シート形状の場合、垂設ロッドに沿って薬剤成分がヘアキャッチャーに伝わるので、特にヘアキャッチャーに発生するヌメリを効果的に防除することができる。
【００１１】
かかる薬剤収容部は、固形薬剤の成分が比較的高濃度の薬剤溶解液が持続的に流出されるように構成されていることが好ましく、例えば、複数又は多数の薬剤溶解液流出開口、薬剤溶解液流出スリットや薬剤溶解液流出孔が形成された構成とすることが好ましい。前記薬剤溶解液流出開口や薬剤溶解液流出スリットの大きさとしては、縦横それぞれ０．８〜４ｍｍであることが好ましく、１．２〜３ｍｍであることがより好ましい。また、薬剤溶解液流出孔の径としては、０．８〜４ｍｍであることが好ましく、１．２〜３ｍｍであることがより好ましい。例えば、薬剤収容部の上部（上面）の開口総面積を、側部（側面）と下部（下面）の開口総面積より大きくすることにより、薬剤収容部内に水分を長時間保持し、薬剤の溶解を促進して比較的高濃度にする等、これら薬剤流出開口等の大きさや配置数等を調整することにより、より有効にヌメリを防除することができるよう構成することが好ましい。
【００１２】
本発明の洗面台用ヌメリ取り具は、洗面台排水口封水具の封水部材に装着される構成であってもよく、垂設ロッドに装着される構成であってもよく、ヘアキャッチャーに装着される構成であってもよいが、装着が容易かつ確実な点から垂設ロッド材及び／又はヘアキャッチャーに装着される構成であることが好ましい。すなわち、本発明の洗面台用ヌメリ取り具は、垂設ロッドに係止するための第１係止部及び／又はヘアキャッチャーに係止するための第２係止部を有することが好ましく、これにより、ヌメリ取り具を容易に交換することができると共に確実に洗面台排水口封水具に装着することができる。なお、本発明の洗面台用ヌメリ取り具は、上記係止部を設けずに、垂設ロッドにらせん状に巻きつけて固設できる構成であってもよい。
【００１３】
具体的に、第１係止部としては、例えば、垂設ロッドを抱持する抱持部材や、垂設ロッドに設けられたループ部又はフック部に貼着するためのフック部又はループ部からなる面ファスナー（マジックテープ（登録商標））や、垂設ロッドに巻着可能とするための薬剤収納部に設けられた凹部及び凸起からなる勘合部材や、垂設ロッドに巻着可能とするための薬剤収納部に設けられたループ部及びフック部からなる面ファスナー（マジックテープ（登録商標））や、インシュロック等が挙げられる。第２係止部としては、例えば、ヘアキャッチャー上に立設できるような脚部材やヘアキャッチャーに形成されたスリットや孔等に挿入して掛止するような掛止片付脚部材が挙げられる。脚部材を設けることにより、排水等によるヌメリ取り具の下方への位置ずれを防止してヘアキャッチャーとの距離を一定に保持することができると共に、かかる脚部材に沿って薬剤成分がヘアキャッチャーに伝わるので、特にヘアキャッチャーに発生するヌメリを効果的に防除することができる。
【００１４】
具体的に、薬剤収容部がリング形状やシート形状であるタイプの場合、脚部材は、１〜１２本程度設けることができるが、１〜４本が好ましく、脚同士の間隔としては、４〜２０ｍｍであることが好ましく、１０〜２０ｍｍであることがより好ましく、脚の径（幅）としては、０．５〜６ｍｍであることが好ましく、２〜４ｍｍであることがより好ましく、脚の長さとしては、２〜１５ｍｍであることが好ましく、５〜１５ｍｍであることがより好ましい。ヘアキャッチャー上に立設する脚部材の場合には、脚の先端部はヘアキャッチャーの開口部から脱落しない大きさとして、脚の径（幅）が０．５〜６ｍｍであって長さが２〜１５ｍｍであることが好ましく、脚の径（幅）が２〜４ｍｍであって長さが５〜１５ｍｍであることがより好ましい。また、脚部材はヘアキャッチャーの形状に合わせて、幅、長さ方向に丸み（Ｒ）をもたせる等することができる。
【００１５】
また、薬剤収容部が垂設ロッドに並列に配置される円柱又は角柱形状であるタイプ（横付けタイプ）の場合、脚部材は、１〜１２本程度設けることができるが、１〜４本が好ましく、脚同士の間隔としては、４〜２０ｍｍであることが好ましく、１０〜２０ｍｍであることがより好ましく、脚の径（幅）としては、０．５〜６ｍｍであることが好ましく、２〜４ｍｍであることがより好ましく、脚の長さとしては、２〜１５ｍｍであることが好ましく、５〜１５ｍｍであることがより好ましい。ヘアキャッチャー上に立設する脚部材の場合には、脚の先端部はヘアキャッチャーの開口部から脱落しない大きさとして、脚の径（幅）が０．５〜６ｍｍであって長さが２〜１５ｍｍであることが好ましく、脚の径（幅）が２〜４ｍｍであって長さが５〜１５ｍｍであることがより好ましい。また、脚部材はヘアキャッチャーの形状に合わせて、幅、長さ方向に丸み（Ｒ）をもたせる等することができる。
【００１６】
前記薬剤収容部に収納される固形薬剤としては、微生物の発育抑制物質を含有する薬剤であれば特に制限されるものではなく、各種公知の殺菌剤、抗菌剤が使用可能であり、一般的な防黴剤又は抗細菌剤として知られている化合物や抗菌作用を有する天然精油類等であればどのようなものでも使用することができるが、広い抗菌スペクトルを有するものが好ましく、例えば、塩素系酸化剤としては、ジクロロジメチルヒダントイン、ブロモクロルジメチルヒダントイン、ジクロルイソシアヌル酸ナトリウム、ジクロルイソシアヌル酸カリウム、ジクロルイソシアヌル酸ナトリウムの水和物（２水和物等）、ジクロルイソシアヌル酸カリウムの水和物及びトリクロルイソシアヌル酸、次亜塩素酸カルシウム等を例示することができ、また、塩素系酸化剤以外の薬剤としては、過炭素ナトリウム、過硫酸カリウム、過硼酸ナトリウム、オルトフェニルフェノール、ジフェニル、２−イソプロピル−５−メチルフェノール、パラクロロメタキシレノール、パラヒドロキシ安息香酸−ｎ−ブチル、パラヒドロキシ安息香酸エチル、パラヒドロキシ安息香酸メチル、塩化ベンザルコニウム、塩化ベンゼトニウム、塩酸クロルへキシジン、グルコン酸クロルヘキシジン、メチレンビスチオシアネート、２−ピリジンチオール−１−オキシド、２−ピリジンチオール−１−オキシド亜鉛、２−ピリジンチオール−１−オキシドナトリウム、Ｎ，Ｎ′−ヘキサメチレンビス（４−カルバモイル−１−デシルピリジニウムブロマイド）、４，４′−（テトラメチレンジアミノ）ビス（１−デシルピリジニウムブロマイド）、２−ブロモ−２−ニトロプロパン−１，３−ジオール等を例示することができる。
【００１７】
また、本発明における微生物の発育を抑制する物質として、防黴剤又は抗細菌剤と多分子系ホスト化合物とからなる包接化合物を有利に用いることができる。この包接化合物を用いる場合、防黴剤又は抗細菌剤としては、例えば、５−クロロ−２−メチル−４−イソチアゾリン−３−オン、２−メチル−４−イソチアゾリン−３−オン、４，５−ジクロロ−３−ｎ−オクチル−イソチアゾリン−３−オン、１，２−ベンズイソチアゾリン−３−オン、２−メトキシカルボニルベンズイミダゾール、２，３，５，６−テトラクロロ−４−メタンスルホニルピリジン、２−チオシアノメチベンゾチアゾール、２，２−ジチオ−ビス−（ピリジン−１−オキサイド）、３，３，４，４−テトラハイドロチオフェン−１，１−ジオキサイド、４，５−ジクロロ−１，２−ジチオラン−３−オン、５−クロロ−４−フェニル−１，２−ジチオラン−３−オン、Ｎ−メチルピロリドン、フェニル−（２−シアノ−２−クロロビニル）スルホン、メチレンビスチオシアネート、２−ブロモ−２−ニトロプロパン−１，３−ジオール、２，２−ジブロモ−２−エタノール、２−ブロモ−４′−ヒドロキシアセトフェノン、ジブロモニトリルプロピオンアミド、２−ブロモ−２−ブロモメチルグルタルニトリル等を、また天然精油類としては、例えば、シネオール、ヒノキチオール、メントール、テルピネオール、ボルネオール、ノポール、シトラール、シトロネラール、シトロネロール、ゲラニオール、リナロール、ジメチルオクタノール、チモール等を例示することができる。
【００１８】
ここで、多分子系ホスト化合物とは、ゲストとなる抗菌剤とともに結晶性錯体（包接化合物）を形成する化合物をいい、上記の性質を有する化合物であれば特に制限されないが、例えば、テトラキスフェノ−ル類、１，１，６，６−テトラフェニル−２，４−ヘキサジイン−１，６−ジオール、１，６−ビス（２−クロロフェニル）−１，６−ジフェニルヘキサン−２，４−ジイン−１，６−ジオール、１，１，４，４−テトラフェニル−２−ブチン−１，４−ジオール、２，５−ビス（２，４−ジメチルフェニル）ハイドロキノン、１，１−ビス（２，４−ジメチルフェニル）−２−プロピン−１−オール、１，１，２，２−テトラフェニルエタン−１，２−ジオール、１，１′−ビス−２−ナフトール、９，１０−ジフェニル−９，１０−ジヒドロキシアントラセン、１，１，６，６−テトラ（２，４−ジメチルフェニル）−２，４−ヘキサジイン−１，６−ジオール、９，１０−ビス（４−メチルフェニル）−９，１０−ジヒドロキシアントラセン、１，１−ビス（４−ヒドロキシフェニル）シクロヘキサン、Ｎ，Ｎ，Ｎ′，Ｎ′−テトラキス（シクロヘキシル）−（１，１′−ビフェニル）−２−２′−ジカルボキシアミド、４，４′−スルホニルビスフェノール、４，４′−ブチリデンビス（３−メチル−６−ｔｅｒｔ−ブチルフェノール）、２，２′−メチレンビス（４−メチル−６−ｔｅｒｔ−ブチルフェノール）、４，４′−チオビス（４−クロロフェノール）、２，２′−メチレンビス（４−クロロフェノール）、デオキシコール酸、コール酸、α，α，α′，α′−テトラフェニル−１，１′−ビフェニル−２，２′−ジメタノール、ｔ−ブチルヒドロキノン、２，５−ジ−ｔｅｒｔ−ブチルヒドロキノン、顆粒状コーンスターチ、１，４−ジアザビシクロ−（２，２，２）−オクタン、３，３′−ビスフェニルスルフォニル−４，４′−ジヒドロキシフェニルスルフォン、トリ−ｏ−チモチドを例示することができる。
【００１９】
また、上記のテトラキスフェノ−ル類としては、例えば、１，１，２，２−テトラキス（４−ヒドロキシフェニル）エタン、１，１，２，２−テトラキス（３−フルオロ−４−ヒドロキシフェニル）エタン、１，１，２，２−テトラキス（３−クロロ−４−ヒドロキシフェニル）エタン、１，１，２，２−テトラキス（３−メチル−４−ヒドロキシフェニル）エタン、１，１，２，２−テトラキス（３−メトキシ−４−ヒドロキシフェニル）エタン、１，１，２，２−テトラキス（３，５−ジメチル−４−ヒドロキシフェニル）エタン、１，１，３，３−テトラキス（４−ヒドロキシフェニル）プロパン、１，１，３，３−テトラキス（３−フルオロ−４−ヒドロキシフェニル）プロパン、１，１，３，３−テトラキス（３−クロロ−４−ヒドロキシフェニル）プロパン、１，１，３，３−テトラキス（３−メチル−４−ヒドロキシフェニル）プロパン、１，１，３，３−テトラキス（３−メトキシ−４−ヒドロキシフェニル）プロパン、１，１，３，３−テトラキス（３，５−ジメチル−４−ヒドロキシフェニル）プロパン、１，１，４，４−テトラキス（４−ヒドロキシフェニル）ブタン、１，１，４，４−テトラキス（３−フルオロ−４−ヒドロキシフェニル）ブタン、１，１，４，４−テトラキス（３−クロロ−４−ヒドロキシフェニル）ブタン、１，１，４，４−テトラキス（３−メチル−４−ヒドロキシフェニル）ブタン、１，１，４，４−テトラキス（３−メトキシ−４−ヒドロキシフェニル）ブタン、１，１，４，４−テトラキス（３，５−ジメチル−４−ヒドロキシフェニル）ブタン、１，１，５，５−テトラキス（４−ヒドロキシフェニル）ペンタン、１，１，５，５−テトラキス（３−フルオロ−４−ヒドロキシフェニル）ペンタン、１，１，５，５−テトラキス（３−クロロ−４−ヒドロキシフェニル）ペンタン、１，１，５，５−テトラキス（３−メチル−４−ヒドロキシフェニル）ペンタン、１，１，５，５−テトラキス（３−メトキシ−４−ヒドロキシフェニル）ペンタン、１，１，５，５−テトラキス（３，５−ジメチル−４−ヒドロキシフェニル）ペンタン等テトラキス（ヒドロキシフェニル）アルカン類を具体的に例示することができる。
【００２０】
本発明における微生物の発育を抑制する物質として、他の抗菌剤に比較して抗菌スペクトルが広く、人体に安全な有機ヨード系抗菌剤も有利に用いることができる。この場合、有機ヨード系抗菌剤であれば特に制限はないが固体のものが望ましく、例えば、２，３，３−トリヨードアリルアルコール類、２，３，３−トリヨードアリルエーテル類、２，３，３−トリヨードアリルアゾール類、３−ヨード−２−プロパギルブチルカルバミン酸、４−クロロフェニル（３−ヨードプロパギル）ホルマール、ヨードプロパギルアゾール類、ジヨード−パラ−トリスルホン、ポピドンヨード、ベンジルヨード酢酸エステル及びパラニトロベンジルヨード酢酸エステルを例示することができ、これらは単独又は２種以上混合して使用される。
【００２１】
また、微生物の発育を抑制する物質として、前記の各種公知の殺菌剤、抗菌剤、防黴剤等やそれらを含有する公知のヌメリ防除剤、あるいは上記包接化合物や有機ヨード系抗菌剤を用いる場合、有効成分が排水と接触した際必要以上に流出することを防止し、適度な速度で接触した排水に溶解させるため、適宜配合物と混合して加圧成形、加熱溶融混合、混練り押し出し成形等の公知の方法により適当な大きさに成形することができる。
【００２２】
加圧成形する場合の配合物としては、各種公知の賦形剤、溶解調整剤、結合剤、滑沢剤、界面活性剤、腐食防止剤等を例示することができる。特に界面活性剤は溶解液がヌメリ発生壁面に広がりやすくし、かつ蓋や容器が油で汚れることを防止するのに有効である。また、苦味付与成分、辛味付与成分などを添加して、薬剤を誤って乳幼児が口に入れた場合も飲み込まないようにすることもできる。
【００２３】
賦形剤、結合剤、溶解調整剤としては、フマル酸、安息香酸、アジピン酸、コハク酸、ｄｌ−リンゴ酸、クエン酸、アスコルビン酸、マロン酸、グリコール酸等の各種有機酸、無機酸、乳糖、ブドウ糖等の糖類、コーンスターチ等の各種デンプン、燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、結晶セルロース、粉末セルロース、塩化ナトリウム、硫酸マグネシウム、硫酸カリウム、合成珪酸アルミニウム、三珪酸マグネシウム、メチルセルロース、エチルセルロース、カルボキシメチルセルロース、カルボキシメチルセルロースナトリウム、カルボキシメチルセルロースカルシウム、ヒドロキシプロピルセルロース、ポリビニルアルコール、ポリビニルピロリドン、アルギン酸ナトリウム、アラビアゴム（粉末）、ショ糖脂肪酸エステル、Ｃ14〜Ｃ24の飽和脂肪酸類等を挙げることができるが、その中でも特に燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、乳糖、ヒドロキシプロピルセルロース、アラビアゴム（粉末）、ポリビニルアルコール、ポリビニルピロリドン、デキストリン、Ｃ14〜Ｃ24の飽和脂肪酸類等は加圧成形性を向上することができ、また、各種洗剤等が混入しても反応して有毒ガス等が発生することが無いので好ましく、これら賦形剤や結合剤、溶解調整剤は全固形薬剤重量に対して１〜９９重量％の割合で添加することができる。
【００２４】
滑沢剤としては、Ｃ14〜Ｃ24の飽和脂肪酸、ステアリン酸マグネシウム、ステアリン酸カルシウム、ショ糖脂肪酸エステル、安息香酸ナトリウム、シリカ、タルク、ワックス類等を例示することができ、これら滑沢剤は全固形薬剤重量に対して０．０１〜１０重量％の割合で使用することができる。界面活性剤としては、アルキルアルカノールアミド類、ジアルキルスルホコハク酸ナトリウム、ラウリル硫酸ナトリウム等を例示することができ、これら界面活性剤は全固形薬剤重量に対して０．５〜１０重量％の割合で使用することができる。また、腐食防止剤としては、アルキルチオ尿素系やトリアゾール系化合物を例示することができ、これらを使用すると配管などの金属部分の腐食を抑制することができる。
【００２５】
加熱溶融混合の場合や混練り押し出し成形する場合の配合物としては、融点が４０〜１００℃で固体であるものが好ましく、ポリオキシエチレン等の各種の水溶性高分子類、ポリオキシエチレンポリオキシプロピレンブロックポリマー、ポリオキシエチレンアルキルフェニルエーテル、ポリエチレングリコール脂肪酸エステル類、グリセリン脂肪酸エステル類、ポリオキシエチレンアルキルエーテル類等の界面活性剤を例示することができる。
【００２６】
また、固形薬剤の形状としては、球状、錠剤状、円柱状、直方体状、角錐状、ドーナツ状等どのような形態でもよく、その大きさも薬剤収容部に収容しうる大きさであればどのようなものでもよい。固形薬剤の使用の形態としては、例えば、円柱状のものを１個用いる場合もあるが、小粒のものを多数使用することもできる。小粒のものを多数使用する場合、同種のものを用いるほか、例えば配合成分の異なる薬剤や溶解度が異なる薬剤等異種の複数の小粒の固形薬剤を用いることもできる。また、本発明における固形薬剤には、不織布、紙、フィルム等の透水性のシートや袋やチューブ等に収容されている錠剤等の他、これらに収容されている散剤も包含され、その他、スポンジ、樹脂発泡体等に担持されていてもよく、多孔質鉱物などに含浸されていてもよいが、不織布に収容されていることが特に好ましい。不織布の材質を選定することにより、薬剤成分の流出速度を適度な速度に調節することが可能となり、より効果的にヌメリを防除することができる。なお、薬剤収容部に固形薬剤に加えて、さらに香料や脱臭剤を収納させれば、浴室に芳香を漂わせ悪臭を除去することができる。
【００２７】
以下、図面を参照しつつ、本発明の洗面台用ヌメリ取り具を具体的に説明する。
図１は本発明の第１実施形態に係る洗面台用ヌメリ取り具の斜視図であり、図２は図１に示される洗面台用ヌメリ取り具を洗面台排水口封水具に取り付けた状態の概略説明図である。
【００２８】
図１及び図２に示すように、本発明の第１実施形態に係る洗面台用ヌメリ取り具１０は、不織布に収容された微生物の発育抑制物質を含有する固形薬剤１２が収納されたリング形状の薬剤収容部１４と、薬剤収容部１４のリング略中心に位置するように薬剤収容部１４の内周壁から突出して設けられた抱持部材１６を備える。薬剤収容部１４は、例えばプラスチックからなる平面視してＣ形状の直径が４ｃｍ、厚さ５ｍｍ程度の部材から構成されており、その上部、側部及び下部には、適当な間隔をあけて開口１８が形成され、固形薬剤１２の成分が十分に流出することを可能としている。また、抱持部材１６は、平面視してＣ形状のプラスチック等からなる部材であって、洗面台排水口封水具２０の垂設ロッド２２の径よりもその径が小さくなるよう構成され、垂設ロッド２２に装着されることによりその径を大きくしてその抱持部材１６自身の弾性力によって固定される。
【００２９】
図２に示すように、かかる本発明のヌメリ取り具１０は、洗面台の排水口２４を封水する封水部材２６と、封水部材２６から下方に延びて洗面台本体２８と装脱着可能な垂設ロッド２２と、垂設ロッド２２に取り付けられたヘアキャッチャー３０とを備えた洗面台排水口封水具２０のヘアキャッチャー３０の１０ｍｍ程度上方の垂設ロッド２２に抱持部材１６により固定される。ヌメリ取り具１０は、ヘアキャッチャー３０の上方に設けられるので、固形薬剤１２の成分がヘアキャッチャー３０に案内されて、ヘアキャッチャー３０に発生するヌメリを効果的に防止することができる。また、リング形状とすることで、排水口全体に薬剤の成分が均一に十分に広がり、より効果的にヌメリを防止することができる。
【００３０】
次に、本発明の第２実施形態に係る洗面台用ヌメリ取り具について説明する。図３は本発明の第２実施形態に係る洗面台用ヌメリ取り具の斜視図であり、図４は図３に示される洗面台用ヌメリ取り具を洗面台排水口封水具に取り付けた状態の概略説明図である。
図３及び図４に示すように、本発明の第２実施形態に係る洗面台用ヌメリ取り具５０は、不織布に収容された微生物の発育抑制物質を含有する固形薬剤５２が収納された円柱状の薬剤収容部５４と、薬剤収容部５４の側部から突出して設けられた抱持部材５６と、薬剤収容部５４の底部に垂設された二本の脚部材５８を備えている。薬剤収容部５４は、例えばプラスチックからなる直径１．５ｃｍ高さ３センチ程度の部材から構成されており、その上部、側部及び下部には、適当な間隔をあけて開口（スリット）５９が形成され、固形薬剤５２の成分が十分に流出することを可能としている。また、抱持部材５６は、平面視してＣ形状のプラスチック等からなる部材であって、洗面台排水口封水具６０の垂設ロッド６２の径よりもその径が小さくなるよう構成され、垂設ロッド６２に装着されることによりその径を大きくしてその抱持部材５６自身の弾性力によって固定される。脚部材５８は、全長１ｃｍ程度であって、下端部が他の部分に比してその径を大きくして構成されており、洗面台排水口封水具６０のヘアキャッチャー６４のスリットから脱落することなく、ヘアキャッチャー６４上に立設することを可能としている。
【００３１】
図４に示すように、かかる本発明のヌメリ取り具５０は、洗面台の排水口６６を封水する封水部材６８と、封水部材６８から下方に延びて洗面台本体７０と装脱着可能な垂設ロッド６２と、垂設ロッド６２に取り付けられたヘアキャッチャー６４とを備えた洗面台排水口封水具６０のヘアキャッチャー６４の上方に抱持部材５６と脚部材５８とによって固定される。ヌメリ取り具５０は、ヘアキャッチャー６４の上方に設けられるので、固形薬剤５２の成分がヘアキャッチャー６４に案内されて、ヘアキャッチャー６４に発生するヌメリを効果的に防止することができる。特に、ヌメリ取り具５０においては脚部材５８が設けられているので、脚部材５８に沿って薬剤の成分がヘアキャッチャー６４に案内されて、ヘアキャッチャー６４に発生するヌメリをより効果的に防除することができる。また、脚部材５８により、ヌメリ取り具５０の下方への位置ずれを防止することができる。
【００３２】
次に、本発明の第３実施形態に係る洗面台用ヌメリ取り具について説明する。図５は本発明の第３実施形態に係る洗面台用ヌメリ取り具の正面図である。
図５に示すように、本発明の第３実施形態に係る洗面台用ヌメリ取り具８０は、微生物の発育抑制物質を含有する錠剤状の固形薬剤８２が収納されたシート状の薬剤収容部８４と、シート状の薬剤収容部８４の側部にそれぞれ設けられた凹部８６及び凸起８８からなる勘合部材を備えている。シート状の薬剤収容部８４は固形薬剤８２を両側（図５上、前後側）から挟持すると共に、薬剤溶解液流出開口が形成されるように格子状に形成された二枚のシート部材から構成される。
【００３３】
かかるヌメリ取り具８０は、シート状の薬剤収容部８４がヘアキャッチャーの上方の垂設ロッドに巻きつけられると共に凹部８６及び凸起８８からなる勘合部材によって固定される。ヌメリ取り具８０は、ヘアキャッチャーの上方に設けられるので、固形薬剤８２の成分がヘアキャッチャーに案内されて、ヘアキャッチャーに発生するヌメリを効果的に防止することができる。
【００３４】
さらに、本発明の第４実施形態に係る洗面台用ヌメリ取り具について説明する。図６は本発明の第４実施形態に係る洗面台用ヌメリ取り具の正面図である。
図６に示すように、本発明の第４実施形態に係る洗面台用ヌメリ取り具９０は、微生物の発育抑制物質を含有する錠剤状の固形薬剤９２が収納されたシート状の薬剤収容部９４と、シート状の薬剤収容部８４の側部にそれぞれ設けられたフック部９６及びループ部９８からなる面ファスナー（マジックテープ（登録商標））を備えている。シート状の薬剤収容部９４は固形薬剤９２を両側（図６上、前後側）から挟持すると共に、薬剤溶解液流出開口が形成されるように格子状に形成された二枚のシート部材から構成される。
【００３５】
かかるヌメリ取り具９０は、シート状の薬剤収容部９４がヘアキャッチャーの上方の垂設ロッドに巻きつけられると共に面ファスナー（マジックテープ（登録商標））によって固定される。ヌメリ取り具９０は、ヘアキャッチャーの上方に設けられるので、固形薬剤９２の成分がヘアキャッチャーに案内されて、ヘアキャッチャーに発生するヌメリを効果的に防止することができる。
【図面の簡単な説明】
【００３６】
【図１】本発明の第１実施形態に係る洗面台用ヌメリ取り具の斜視図である。
【図２】図１に示される洗面台用ヌメリ取り具を洗面台排水口封水具に取り付けた状態の概略説明図である。
【図３】本発明の第２実施形態に係る洗面台用ヌメリ取り具の斜視図である。
【図４】図３に示される洗面台用ヌメリ取り具を洗面台排水口封水具に取り付けた状態の概略説明図である。
【図５】本発明の第３実施形態に係る洗面台用ヌメリ取り具の正面図である。
【図６】本発明の第４実施形態に係る洗面台用ヌメリ取り具の正面図である。
【符号の説明】
【００３７】
１０，５０，８０，９０    洗面台用ヌメリ取り具
１２，５２，８２，９２    固形薬剤
１４，５４，８４，９４    薬剤収容部
１６，５６    抱持部材
１８，５９    開口
２０，６０    洗面台排水口封水具
２２，６２    垂設ロッド
２４，６６    排水口
２６，６８    封水部材
２８，７０    洗面台本体
３０，６４    ヘアキャッチャー
５８    脚部材
８６    凹部
８８    凸起
９６  フック部
９８  ループ部
【図１】
2005061098.tif 000003
【図２】
2005061098.tif 000004
【図３】
2005061098.tif 000005
【図４】
2005061098.tif 000006
【図５】
2005061098.tif 000007
【図６】
2005061098.tif 000008